(57)【要約】【課題】  投射画像によりユーザーに情報を伝える際、画像投射装置の設置状態により、投射画像による画面表示とは別の手段によって情報が有ることを通知し、情報が伝わりやすくした画像投射装置を提供すること。【解決手段】  入力信号とは異なる通知情報を前記投射画像に重畳して表示する第一の通知手段と、前記第一の通知手段と異なる方法で前記通知情報が前記投射画像に重畳されていることを通知する第二の通知手段と、前記第一の通知手段及び前記第二の通知手段を制御する制御手段を備え、前記制御手段は、前記第一の通知手段が表示している前記通知情報の前記被投射面上でのコントラストが第一の閾値よりも低い場合、前記第二の通知手段を用いて前記通知情報があることをユーザーに通知することを特徴とする構成とした。【選択図】  図１
2017107089.tif 000002
【特許請求の範囲】
【請求項１】
外部からの入力信号に基づく投射画像を被投射面に投射する画像投射装置であって、
前記入力信号とは異なる通知情報を前記投射画像に重畳して表示する第一の通知手段と、
前記第一の通知手段と異なる方法で前記通知情報が前記投射画像に重畳されていることを通知する第二の通知手段と、
前記第一の通知手段及び前記第二の通知手段を制御する制御手段を備え、
前記制御手段は、前記第一の通知手段が表示している前記通知情報の前記被投射面上でのコントラストが第一の閾値よりも低い場合、前記第二の通知手段を用いて前記通知情報が有ることをユーザーに通知する
ことを特徴とする画像投射装置。
【請求項２】
外部からの入力信号に基づく投射画像を被投射面に投射する画像投射装置であって、
前記入力信号とは異なる通知情報を前記投射画像に重畳して表示する第一の通知手段と、
前記第一の通知手段と異なる方法で前記通知情報が前記投射画像に重畳されていることを通知する第二の通知手段と、
前記画像投射装置の周囲の明るさを検出する周囲光検出手段と、
前記第一の通知手段及び前記第二の通知手段を制御する制御手段を備え、
前記制御手段は、前記第一の通知手段が前記通知情報を表示する際、前記周囲光検出手段により検出された前記明るさが第二の閾値よりも高い場合、前記第二の通知手段を用いて前記通知情報が有ることをユーザーに通知する
ことを特徴とする画像投射装置。
【請求項３】
外部からの入力信号に基づく投射画像を被投射面に投射する画像投射装置であって、
前記入力信号とは異なる通知情報を前記投射画像に重畳して表示する第一の通知手段と、
前記第一の通知手段と異なる方法で前記通知情報が前記投射画像に重畳されていることを通知する第二の通知手段と、
前記被投射面に投射された前記投射画像を撮像する撮像手段と、
前記撮像手段と前記第一の通知手段及び前記第二の通知手段を制御する制御手段を備え、
前記制御手段は、前記第一の通知手段が前記通知情報を表示する際、前記投射画像を撮像し、該撮像された前記投射画像のコントラスト評価値を検出し、前記コントラスト評価値が第三の閾値よりも低い場合、前記第二の通知手段を用いて前記通知情報が有ることをユーザーに通知する
ことを特徴とする画像投射装置。
【請求項４】
外部からの入力信号に基づく投射画像を被投射面に投射する画像投射装置であって、
前記入力信号とは異なる通知情報を前記投射画像に重畳して表示する第一の通知手段と、
前記第一の通知手段と異なる方法で前記通知情報が前記投射画像に重畳されていることを通知する第二の通知手段と、
前記被投射面に投射された前記投射画像の合焦状態を検出する合焦検出手段と、
前記第一の通知手段及び前記第二の通知手段を制御する制御手段を備え、
前記制御手段は、前記第一の通知手段が前記通知情報を表示する際、前記合焦検出手段により検出された前記合焦状態が合焦していないと検出された場合、前記第二の通知手段を用いて前記通知情報が有ることをユーザーに通知する
ことを特徴とする画像投射装置。
【請求項５】
外部からの入力信号に基づく投射画像を被投射面に投射する画像投射装置であって、
前記入力信号とは異なる通知情報を前記投射画像に重畳して表示する第一の通知手段と、
前記第一の通知手段と異なる方法で前記通知情報が前記投射画像に重畳されていることを通知する第二の通知手段と、
前記被投射面に投射された前記投射画像の複数の領域毎に合焦状態を検出する合焦検出手段と、
前記第一の通知手段及び前記第二の通知手段を制御する制御手段を備え、
前記制御手段は、前記第一の通知手段が前記通知情報を表示する際、前記複数の領域の合焦状態を検出し、合焦していると検出された領域がある場合、該領域に前記第一の通知手段により前記通知情報を表示し、合焦していると検出された領域がない場合、前記第二の通知手段を用いて前記通知情報が有ることをユーザーに通知する
ことを特徴とする画像投射装置。
【請求項６】
前記第二の通知手段は、音出力手段を有し、
前記制御手段は、前記第一の通知手段が表示している前記通知情報を音声信号に変換し、前記第二の通知手段に前記音声信号を送信し、前記通知情報があることをユーザーに通知することを特徴とする請求項１乃至５何れか一項に記載の画像投射装置。
【請求項７】
前記第二の通知手段は、表示手段を有し、
前記制御手段は、前記第一の通知手段が表示している前記通知情報を前記表示手段に表示させ、前記通知情報があることをユーザーに通知することを特徴とする請求項１乃至６何れか一項に記載の画像投射装置。
【請求項８】
前記第二の通知手段は、発光手段を有し、
前記通知情報に対応する前記発光手段の発光パターンを記憶する記憶手段を備え、
前記制御手段は、前記第一の通知手段が表示している前記通知情報に対応する前記発光パターンを前記記憶手段から取得し、取得した前記発光パターンにより前記発光手段を発光させ、前記通知情報があることをユーザーに通知することを特徴とする請求項１乃至７何れか一項に記載の画像投射装置。
【請求項９】
前記第二の通知手段は、音出力手段を有し、
前記通知情報に対応する前記発光手段の音パターン信号を記憶する記憶手段を備え、
前記制御手段は、前記第一の通知手段が表示している前記通知情報に対応する前記音パターン信号を前記記憶手段から取得し、取得した前記音パターン信号を前記音出力手段に送信し、前記通知情報があることをユーザーに通知する
ことを特徴とする請求項１乃至８何れか一項に記載の画像投射装置。
【発明の詳細な説明】
【技術分野】
【０００１】
本発明は、画像投射装置に関し、特にユーザーに対し情報を通知する機能を持つ画像投射装置に関するものである。
【背景技術】
【０００２】
従来から、投射画面上に情報表示を行う表示装置が知られている。
【０００３】
例えば、特許文献１では異常検出時に、ミュート状態でも異常が検出されたことを示す画像を表示する画像表示装置が開示されている。
【先行技術文献】
【特許文献】
【０００４】
【特許文献１】特開２０１２−１２３１４６号公報
【発明の概要】
【発明が解決しようとする課題】
【０００５】
しかしながら、上述の特許文献に開示された従来技術では、情報がユーザーに伝わりにくい場合が発生する。例えば、スクリーン上に投射された画像が合焦されていない場合、周辺環境が明るく投射画面が認識しにくい場合、或いは、スクリーンと画像投射装置の間に何らかの障害物がある場合など、情報が伝わりにくいことがある。
【０００６】
そこで、本発明の目的は、投射画像によりユーザーに情報を伝える際、画像投射装置の設置状態により、投射画像による画面表示とは別の手段によって情報が有ることを通知し、情報が伝わりやすくした画像投射装置を提供することである。
【課題を解決するための手段】
【０００７】
上記目的を達成するために、本発明は、外部からの入力信号に基づく投射画像を被投射面に投射する画像投射装置であって、前記入力信号とは異なる通知情報を前記投射画像に重畳して表示する第一の通知手段と、前記第一の通知手段と異なる方法で前記通知情報が前記投射画像に重畳されていることを通知する第二の通知手段と、前記第一の通知手段及び前記第二の通知手段を制御する制御手段を備え、前記制御手段は、前記第一の通知手段が表示している前記通知情報の前記被投射面上でのコントラストが第一の閾値よりも低い場合、前記第二の通知手段を用いて前記通知情報が有ることをユーザーに通知することを特徴とする。
【０００８】
本発明の他の側面として、外部からの入力信号に基づく投射画像を被投射面に投射する画像投射装置であって、前記入力信号とは異なる通知情報を前記投射画像に重畳して表示する第一の通知手段と、前記第一の通知手段と異なる方法で前記通知情報が前記投射画像に重畳されていることを通知する第二の通知手段と、前記画像投射装置の周囲の明るさを検出する周囲光検出手段と、前記第一の通知手段及び前記第二の通知手段を制御する制御手段を備え、前記制御手段は、前記第一の通知手段が前記通知情報を表示する際、前記周囲光検出手段により検出された前記明るさが第二の閾値よりも高い場合、前記第二の通知手段を用いて前記通知情報が有ることをユーザーに通知することを特徴とする。
【０００９】
本発明の他の側面として、外部からの入力信号に基づく投射画像を被投射面に投射する画像投射装置であって、前記入力信号とは異なる通知情報を前記投射画像に重畳して表示する第一の通知手段と、前記第一の通知手段と異なる方法で前記通知情報が前記投射画像に重畳されていることを通知する第二の通知手段と、前記被投射面に投射された前記投射画像を撮像する撮像手段と、前記撮像手段と前記第一の通知手段及び前記第二の通知手段を制御する制御手段を備え、前記制御手段は、前記第一の通知手段が前記通知情報を表示する際、前記投射画像を撮像し、該撮像された前記投射画像のコントラスト評価値を検出し、前記コントラスト評価値が第三の閾値よりも低い場合、前記第二の通知手段を用いて前記通知情報が有ることをユーザーに通知することを特徴とする。
【００１０】
本発明の他の側面として、外部からの入力信号に基づく投射画像を被投射面に投射する画像投射装置であって、前記入力信号とは異なる通知情報を前記投射画像に重畳して表示する第一の通知手段と、前記第一の通知手段と異なる方法で前記通知情報が前記投射画像に重畳されていることを通知する第二の通知手段と、前記被投射面に投射された前記投射画像の合焦状態を検出する合焦検出手段と、前記第一の通知手段及び前記第二の通知手段を制御する制御手段を備え、前記制御手段は、前記第一の通知手段が前記通知情報を表示する際、前記合焦検出手段により検出された前記合焦状態が合焦していないと検出された場合、前記第二の通知手段を用いて前記通知情報が有ることをユーザーに通知することを特徴とする。
【００１１】
本発明の他の側面として、外部からの入力信号に基づく投射画像を被投射面に投射する画像投射装置であって、前記入力信号とは異なる通知情報を前記投射画像に重畳して表示する第一の通知手段と、前記第一の通知手段と異なる方法で前記通知情報が前記投射画像に重畳されていることを通知する第二の通知手段と、前記被投射面に投射された前記投射画像の複数の領域毎に合焦状態を検出する合焦検出手段と、前記第一の通知手段及び前記第二の通知手段を制御する制御手段を備え、前記制御手段は、前記第一の通知手段が前記通知情報を表示する際、前記複数の領域の合焦状態を検出し、合焦していると検出された領域がある場合、該領域に前記第一の通知手段により前記通知情報を表示し、合焦していると検出された領域がない場合、前記第二の通知手段を用いて前記通知情報が有ることをユーザーに通知することを特徴とする。
【発明の効果】
【００１２】
本発明によれば、投射画像によりユーザーに情報を伝える際、画像投射装置の設置状態により、投射画像による画面表示とは別の手段によって情報が有ることを通知し、情報が伝わりやすくした画像投射装置を提供することができる。
【図面の簡単な説明】
【００１３】
【図１】第１の実施例のブロック図
【図２】第１の実施例のフローチャート
【図３】第２の実施例のブロック図
【図４】第２の実施例のフローチャート
【図５】第３の実施例、第４の実施例のブロック図
【図６】第３の実施例のフローチャート
【図７】第４の実施例のフローチャート
【発明を実施するための形態】
【００１４】
以下に、本発明の好ましい実施の形態を、添付の図面に基づいて詳細に説明する。
【実施例１】
【００１５】
以下、図１、図２を参照して、本発明の第１の実施例による、画像投射装置について説明する。
【００１６】
図１は本実施例の画像投射装置の構成を示すブロック図である。
【００１７】
ＣＰＵ１０１は、画像投射装置の制御を行う。本発明にかかるユーザーへ通知する情報の有無の判断もＣＰＵ１０１で行われる。
【００１８】
画像入力部１０９は、外部からの入力信号、例えば画像信号などが入力される。
【００１９】
ＯＳＤ（オンスクリーンディスプレイ）制御部１０２は、ＣＰＵ１０１からの制御信号に基づいて、メニュー画像や、情報画像を生成し、画像処理部へ出力する。
【００２０】
画像処理部１０３は、画像入力部１０９から入力される画像や後述の外部デバイス制御部１０４から入力される画像に、解像度変換や台形歪み補正、および、明るさ、コントラスト、色合いなどの各種画像処理を行う。また、ＯＳＤ制御部１０２から出力されるメニュー画像や、情報画像を、入力される画像に重畳し合成する。画像信号処理部１０２から出力された画像信号は、パネル駆動部１０３へ出力される。
【００２１】
外部デバイス制御部１０４は、外部デバイス接続部１０５に接続されたデバイスを制御する。例えば、ＵＳＢ（Ｕｎｉｖｅｒｓａｌ  Ｓｅｒｉａｌ  Ｂｕｓ（登録商標））メモリなどが接続され、外部デバイス制御部１０４は、ＵＳＢメモリ内のデータの読み込みを行う。
【００２２】
音声出力制御部１０６は、ＣＰＵ１０１からの制御信号に基づいて、スピーカー１０７（音出力手段）を制御して、音声情報を出力する。
【００２３】
周囲光検出部１０８は、光センサーなどであり、周囲光（設置された画像投射装置の周囲の明るさ）を検出し、検出結果をＣＰＵ１０１へ出力する。
【００２４】
パネル駆動部１１０は、入力された画像信号に基づいて液晶パネル１１２を駆動する。液晶パネル１１２は、透過型液晶パネルや反射型液晶パネルである。なお、液晶パネル１１２は、ＤＭＤ（Ｄｉｇｉｔａｌ  Ｍｉｒｒｏｒ  Ｄｅｖｉｃｅ）などの光変調素子を用いることもできる。
【００２５】
ランプ１１１は、ＣＰＵ１０１からの制御信号に基づいて、点灯・消灯制御される。ランプ１１１から出射した光は、不図示のパネル照明光学系により液晶パネル１１２に導かれ、液晶パネル１１２によって光変調される。光変調された光は投射光学系１１３により被投射面である不図示のスクリーンなどに投射され、画像を表示する。
【００２６】
次に図２のフローチャートを用いて、本実施例の画像投射装置のＣＰＵ１０１の動作を説明する。
【００２７】
ステップＳ２０１は、ユーザーに通知する通知情報の有無を判断する。例えば、電源オフ操作が行われたときに、外部デバイス制御部１０４がＵＳＢメモリなどの接続を検知している場合、ユーザーに対し、ＵＳＢメモリが接続されていることを示す情報があると判断する。通知する情報がある場合、ステップＳ２０２へ遷移し、通知する情報がない場合、再度ステップＳ２０１へ戻る。
【００２８】
ステップＳ２０２は、ＯＳＤ制御部１０２により通知する情報を生成し、生成された情報を画像処理部１０３へ出力し、通知する情報を入力された画像に合成する。合成された画像は、液晶パネル制御部１１０へ出力され、通知する情報を投射画像として投射する。（第一の情報通知手段）
ＯＳＤにより生成する情報としては、文字列による形式や、アイコン等の画像によるものでも良い。また、文字と画像を両方表示させても良い。
【００２９】
ステップＳ２０３は、周囲光検出部１０８で検出された画像投射装置の周囲の明るさを確認する。
【００３０】
ステップＳ２０４は、ステップＳ２０３で検出された画像投射装置の周囲の明るさが閾値（第二の閾値）以上か否かを判定する。閾値としては、例えば、ＪＩＳ照度基準（ＪＩＳ  Ｚ９１１０）で会議室の推奨照度と規定されている５００ルクスに設定する。
【００３１】
閾値以上の場合、ステップＳ２０５へ遷移し、閾値未満の場合、ＥＮＤへ遷移し終了する。
【００３２】
また、画像投射装置の仕様と本実施例の周囲の明るさが５００ルクスのときの被投射面上のコントラストを算出し、それを閾値（第一の閾値）として、現在の周囲の明るさからコントラストを算出し、閾値より低い場合、ステップＳ２０５へ遷移してもよい。
【００３３】
ステップＳ２０５は、ＣＰＵ１０１が、音信号をスピーカー１０７に送信し、通知情報があることをスピーカー１０７から出力する。例えば、単純なビープ音や、通知情報を言語として聞くことのできる音声信号に変換し、ユーザーに通知（第二の情報通知手段）する。また、通知情報に対応する音パターン信号を不図示の記憶手段に記憶し、対応する音パターン信号を出力し、通知情報があることを通知しても良い。
【００３４】
以上説明したように、画像投射装置の周囲の明るさが閾値よりも高い場合、部屋の照明が点灯し明るい環境であると推定できる。この時、投射画像による情報通知（第一の情報通知手段）する際、通知情報を表示している被投射面上の投射画像のコントラストが低くなる。そこで、音情報、または音声情報により情報通知が有る（第二の情報通知手段）ことをユーザーに通知することで、通知情報を伝わりやすくすることが可能となる。
【実施例２】
【００３５】
以下、図３、図４を参照して、本発明の第２の実施例による画像投射装置について説明する。
【００３６】
図３は本実施例の画像投射装置の構成を示すブロック図である。
【００３７】
第１の実施例との相違点は、周囲光検出部１０８に代わり、撮像部１１４に置換された点である。また、第１の実施例と同じ符号の説明は省略する。
【００３８】
撮像部１１４は、投射画像を撮像する。本実施例では、撮像部は、画像投射装置に内蔵されているが、外部の撮像装置を用い投射画像を撮像し、該撮像装置を外部デバイス接続部１０５に接続し、撮像データを取得してもよい。撮像データは、ＣＰＵ１０１へ出力される。
【００３９】
次に図４のフローチャートを用いて、本実施例の画像投射装置のＣＰＵの動作を説明する。第１の実施例との相違点は、ステップＳ２０３がステップＳ２１３に、ステップＳ２０４がステップＳ２１４に置換された点である。また、第１の実施例と同じステップ番号の説明は省略する。
【００４０】
ステップＳ２１３は、投射画像を撮像するステップである。撮像された投射画像はＣＰＵ１０１へ出力される。
【００４１】
ステップＳ２１４は、投射画像の撮像データからコントラスト評価値を検出し、閾値（第三の閾値）と比較する。コントラスト評価値は、例えば、撮像画像データの最大値と最小値の差分を計算することで検出することができる。ここで、暗い環境での投射など投射画像のコントラストが高い場合、コントラスト評価値は高くなる。一方、明るい環境での投射など投射画像のコントラストが低い場合、コントラスト評価値は低くなる。そこで、予め通知情報の視認性が低くなるコントラスト評価値を測定しておき、それを閾値として設定する。
【００４２】
閾値未満の場合、ステップＳ２０５へ遷移し、閾値以上の場合、ＥＮＤへ遷移し終了する。
【００４３】
以上説明したように、投射画像のコントラスト評価値が閾値よりも低い場合、部屋の照明が点灯し明るい環境であると推定できる。この時、投射画像による情報通知する際、通知情報を表示している被投射面上の投射画像のコントラストが低くなる。そこで、音情報、または音声情報により情報通知が有ることをユーザーに通知することで、通知情報を伝わりやすくすることが可能となる。
【実施例３】
【００４４】
以下、図５、図６を参照して、本発明の第３の実施例による画像投射装置について説明する。
【００４５】
図４は本実施例の画像投射装置の構成を示すブロック図である。
【００４６】
第１の実施例との相違点は、周囲光検出部１０８に代わり、合焦センサー１１５（合焦検出手段）に置換された点である。また、第１の実施例と同じ符号の説明は省略する。
【００４７】
合焦センサー１１５は、投射画像を自動で合焦させるために使用されるセンサーである。例えば、投射面までの距離を測定できる測距センサーであり、測定結果をＣＰＵ１０１へ出力する。自動で合焦させるためのセンサーは、位相差センサーなどを使用することもできる。
【００４８】
ＣＰＵ１０１は、測定された距離で合焦するように、投射光学系にある不図示のフォーカス調整レンズを駆動し、投射画像を合焦させる。また、自動で合焦させた際の測距データは、不図示の記憶部に記憶しておく。
【００４９】
次に図６のフローチャートを用いて、本実施例の画像投射装置のＣＰＵの動作を説明する。第１の実施例との相違点は、ステップＳ２０３がステップＳ２２３に、ステップＳ２０４がステップＳ２２４に置換された点である。また、第１の実施例と同じステップ番号の説明は省略する。
【００５０】
ステップＳ２２３は、合焦センサー１１５を用い、合焦状態を検出するステップである。このステップで、現在の合焦センサーの検出結果を確認する。本実施例では、測距センサーの現在の測距値を検出する。検出された測距値は、ＣＰＵ１０１へ出力される。
【００５１】
ステップＳ２２４は、現在の測距値と、記憶されている自動で合焦させた際の測距値を比較する。本実施例では、現在の測距値と記憶されている測距値の差分の絶対値を算出し、閾値と比較することで、合焦しているか否かを判定する。閾値以上の場合、合焦していないと判定し、閾値未満の場合、合焦していると判定する。閾値は、予めセンサーの誤差、合焦していると判定できる許容範囲などから設定する。
【００５２】
合焦していると判定された場合、ステップＳ２０５へ遷移し、合焦していないと判定された場合、ＥＮＤへ遷移し終了する。
【００５３】
以上説明したように、画像投射装置を移動したり、投射していたスクリーンの撤去などにより、合焦していない場合、投射画面がユーザーに視認しにくい状態にある。この時、投射画像による情報通知する際、通知情報を表示している被投射面上の投射画像のコントラストが低くなる。そこで、音情報、または音声情報により情報通知が有ることをユーザーに通知することで、通知情報を伝わりやすくすることが可能となる。
【実施例４】
【００５４】
以下、図５、図７を参照して、本発明の第４の実施例による、画像投射装置について説明する。
【００５５】
第３の実施例との相違点は、合焦センサー１１５が、投射画像の所定の領域に分け、その領域毎に合焦センサーの検出結果を検出可能な点である。第３の実施例と同じ符号の説明は省略する。
【００５６】
本実施例の合焦センサー１１５は、上下左右にチルトすることができる構成になっている。合焦センサーをチルトさせることで、投射画像を所定の領域毎に合焦センサーの検出結果を出力できるように構成されている。本実施例では、合焦センサーを上下左右にチルトさせているが、複数の合焦センサーで構成してもよい。
【００５７】
次に図７のフローチャートを用いて、本実施例の画像投射装置のＣＰＵの動作を説明する。第３の実施例との相違点は、ステップＳ７０２乃至ステップＳ７０４が付加され、ステップＳ２０２、ステップＳ２２３が削除された点である。また、第３の実施例と同じステップ番号の説明は省略する。
【００５８】
ステップＳ７０２は、エリア毎に合焦状態を検出するステップである。このステップで、投射画像を所定の領域に分けた際、その中の１領域の現在の合焦センサーの検出結果を確認する。ＣＰＵ１０１からの制御信号に基づいて、合焦センサーのチルトが調整され、対象領域に合焦センサー１１５を向ける。本実施例においても、第３の実施例と同様に測距センサーを用い、現在の測距値を検出する。検出された測距値は、ＣＰＵ１０１へ出力される。
【００５９】
ステップＳ２２４は、第３の実施例と同様の方法で、合焦センサーを向けた対象領域が合焦しているか否かを判定する。合焦していると判定された場合、ステップＳ７０５へ遷移し、合焦していないと判定された場合、ステップＳ７０３へ遷移する。
【００６０】
ステップＳ７０３は、投射画像を所定の領域に分けた全領域の合焦状態を検出したか否かを確認する。全領域確認していれば、ステップＳ７０４へ遷移する。確認していない領域があれば、ステップＳ７０２へ遷移し、確認していない領域の合焦状態を検出する。
【００６１】
ステップＳ７０４は、全領域の確認を完了したが、合焦していると判定された領域がなかったので、投射画像の所定の位置（投射画像の中心など）に通知する情報を表示する。
【００６２】
ステップＳ７０５は、合焦している領域があると判定されたので、現在の合焦センサーを向けているチルト情報から、投射画像のどの領域が合焦しているかを算出する。その領域に、通知する情報を表示する。
【００６３】
以上説明したように、所定の領域毎の合焦状態検出の結果に応じて、投射画像の合焦している領域に情報通知を行う。例えば、画像投射装置とスクリーンとの間に障害物が存在し、投射画面の一部が影になっている場合でも、影になっていない部分に情報を表示することで、情報通知を行うことができる。さらに、合焦している領域が無い場合、音情報、または音声情報により情報通知が有ることをユーザーに通知することで、通知情報を伝わりやすくすることが可能となる。
【００６４】
以上、本発明の好ましい実施形態について説明したが、本発明はこれらの実施形態に限定されず、その要旨の範囲内で種々の変形及び変更が可能である。
【００６５】
例えば、第二の情報通知手段として、投射表示画面とは別に装置筐体に表示装置を設け、通知情報を表示し、通知情報があることを通知してもよい。
【００６６】
また、第二の情報通知手段として、ＬＥＤなどの発光手段を装置筐体に設け、通知情報に対応する発光パターンを不図示の記憶手段に記憶しておき、通知情報に対応した発光パターンでＬＥＤを発光させて通知情報があることを通知してもよい。
【００６７】
また、通知する情報は、筐体内部が高温になった情報、緊急時に外部から通信される情報など、ユーザーに通知するべき情報であればよい。
【符号の説明】
【００６８】
１０１  ＣＰＵ
１０２  ＯＳＤ制御部
１０７  スピーカー
１０８  周囲光検出部
【図１】
2017107089.tif 000003
【図２】
2017107089.tif 000004
【図３】
2017107089.tif 000005
【図４】
2017107089.tif 000006
【図５】
2017107089.tif 000007
【図６】
2017107089.tif 000008
【図７】
2017107089.tif 000009